(57)【要約】【課題】中継無線回線の帯域の圧迫しない信号中継装置を得ること。【解決手段】アクセス回線に中継無線網を使用する携帯無線通信システムにおいて、前記中継無線網に配置され、携帯コア網１と信号中継網とを接続する信号中継装置、ならびに携帯基地局７と信号中継網とを接続する信号中継装置であって、前記中継無線網内に配置されている他の信号中継装置との間に、前記携帯コア網１と前記携帯基地局７との間の制御信号コネクションを確立する制御信号コネクション確立部２４と、前記制御信号コネクションを利用して、前記携帯コア網１と前記携帯基地局７との間のヘルスチェック信号以外の信号を送受信するメッセージ送受信部２０と、接続する前記携帯コア網１または前記携帯基地局７との間でヘルスチェックを行うヘルスチェック応答部２３と、を備える。【選択図】図２
2011049783.tif 000002
【特許請求の範囲】
【請求項１】
アクセス回線に中継無線網を使用する携帯無線通信システムにおいて、前記中継無線網に配置され、携帯コア網と信号中継網とを接続する信号中継装置、ならびに携帯基地局と信号中継網とを接続する信号中継装置であって、
前記中継無線網内に配置されている他の信号中継装置との間に、前記携帯コア網と前記携帯基地局との間の制御信号コネクションを確立する制御信号コネクション確立手段と、
前記制御信号コネクションを利用して、前記携帯コア網と前記携帯基地局との間のヘルスチェック信号以外の信号を送受信する送受信手段と、
接続する前記携帯コア網または前記携帯基地局との間でヘルスチェックを行うヘルスチェック応答手段と、
を備えることを特徴とする信号中継装置。
【請求項２】
前記ヘルスチェック応答手段は、
ヘルスチェックで異常を検出した場合、制御信号コネクションの終端にある他の信号中継装置に対して異常検出信号を送信する、
ことを特徴とする請求項１に記載の信号中継装置。
【請求項３】
前記ヘルスチェック応答手段は、
前記他の信号中継装置から異常検出信号を受信した場合、ヘルスチェックを停止する、
ことを特徴とする請求項１または２に記載の信号中継装置。
【請求項４】
前記ヘルスチェック応答手段は、
ヘルスチェックで異常を検出し、さらに所定の時間にわたって制御信号コネクションで信号を受信しない場合、制御信号コネクションの終端にある他の信号中継装置との間で制御信号コネクションの導通確認を行う、
ことを特徴とする請求項２または３に記載の信号中継装置。
【請求項５】
前記所定の時間を、ヘルスチェックを実施する間隔よりも十分に長い時間とする、
ことを特徴とする請求項４に記載の信号中継装置。
【発明の詳細な説明】
【技術分野】
【０００１】
本発明は、携帯無線通信システムにおいて、アクセス回線に中継無線回線を使用した場合の信号中継装置に関する。
【背景技術】
【０００２】
従来、携帯無線通信システムにおいて、基地局制御装置機能を有する無線基地局は、コア網と有線回線で接続している。無線基地局は、起動後に、コア網との間に制御信号コネクションを確立し、双方の装置で起動確認信号を送受信することで接続が完了する。また、コネクション確立後は、双方からヘルスチェック信号を送受信することで、相手装置の運用状態を確認している。
【０００３】
具体的には、無線基地局が、起動後にＲｅｓｅｔ信号を送信し、コア網からＲｅｓｅｔ  Ａｃｋ信号を受信後、ヘルスチェック信号の送信を開始する。同様に、コア網も、無線基地局との間の制御信号コネクションの確立後、Ｒｅｓｅｔ信号を送信し、無線基地局からのＲｅｓｅｔ  Ａｃｋ信号を受信後、ヘルスチェック信号の送信を開始する。双方の装置は、他方の装置からのヘルスチェック信号に対して応答信号を返送し、これを周期的に続けることで相手方装置の運用状態を確認することができる。このような技術が、下記非特許文献１において開示されている。
【先行技術文献】
【非特許文献】
【０００４】
【非特許文献１】３ＧＰＰ  ＴＳ２５．４１３  Ｖ．３．４．０  「ＵＴＲＡＮ  Ｉｕ  Ｉｎｔｅｒｆａｃｅ  ＰＡＮＡＰ  ｓｉｇｎａｌｉｎｇ」
【発明の概要】
【発明が解決しようとする課題】
【０００５】
しかしながら、上記従来の技術によれば、無線基地局とコア網との間の制御信号コネクションは固定的に設定する場合を想定している。そのため、例えば、無線基地局とコア網との間の制御信号コネクションが中継無線回線で構成され、中継無線回線が可変レートであって中継回線の無線帯域が中継無線網側で管理されている場合は、ヘルスチェックトラヒックによって中継無線回線の帯域が圧迫される、という問題があった。
【０００６】
本発明は、上記に鑑みてなされたものであって、携帯無線通信システムにおいてアクセス回線に中継無線回線を使用する場合に、中継無線回線の帯域を圧迫しない信号中継装置を得ることを目的とする。
【課題を解決するための手段】
【０００７】
上述した課題を解決し、目的を達成するために、本発明は、アクセス回線に中継無線網を使用する携帯無線通信システムにおいて、前記中継無線網に配置され、携帯コア網と信号中継網とを接続する信号中継装置、ならびに携帯基地局と信号中継網とを接続する信号中継装置であって、前記中継無線網内に配置されている他の信号中継装置との間に、前記携帯コア網と前記携帯基地局との間の制御信号コネクションを確立する制御信号コネクション確立手段と、前記制御信号コネクションを利用して、前記携帯コア網と前記携帯基地局との間のヘルスチェック信号以外の信号を送受信する送受信手段と、接続する前記携帯コア網または前記携帯基地局との間でヘルスチェックを行うヘルスチェック応答手段と、を備えることを特徴とする。
【発明の効果】
【０００８】
本発明によれば、中継無線回線の帯域を圧迫しない、という効果を奏する。
【図面の簡単な説明】
【０００９】
【図１】図１は、携帯無線通信システムの構成例を示す図である。
【図２】図２は、接続装置の構成例を示す図である。
【発明を実施するための形態】
【００１０】
以下に、本発明にかかる信号中継装置の実施の形態を図面に基づいて詳細に説明する。なお、この実施の形態によりこの発明が限定されるものではない。
【００１１】
実施の形態．
図１は、本発明にかかる信号中継装置を利用した携帯無線通信システム（以下、無線通信システムと記載する）の構成例を示す図である。この無線通信システムは、携帯コア網１、接続装置２、中継無線コア網３、中継無線親局４、複数の中継無線子局５、複数のアダプタ６、複数の携帯基地局７および複数の携帯移動機（以下、移動機と記載する）８を含む。携帯無線網は、携帯コア網１および複数の携帯基地局７とこれらを接続するアクセス回線とにより構成されている。中継無線親局４と中継無線子局５は中継無線回線を介して通信する。また、携帯基地局７と移動機８は携帯無線回線を介して通信する。
【００１２】
上記構成の無線通信システムにおいて、移動機８の位置管理や移動機８に対する呼の受付制御は携帯コア網１が行う。中継無線網は、携帯無線網のアクセス回線として使用され、携帯基地局７と携帯コア網１との間に位置する。すなわち、中継無線網は、アダプタ６、中継無線子局５、中継無線親局４、中継無線コア網３および接続装置２を含む。携帯コア網１から移動機８に向けた信号は接続装置２を介して中継無線コア網３に送られ、さらに、中継無線親局４に有線回線で伝送され、中継無線親局４から中継無線子局５に中継無線回線で伝送される。中継無線子局５と携帯基地局７は、本発明にかかる信号中継装置に相当するアダプタ６を介して有線接続されており、中継無線子局５が中継無線回線経由で受信した携帯コア網１からの信号は、アダプタ６を経由して携帯基地局７に送られ、携帯無線回線経由で移動機８に送信される。逆に、移動機８から携帯コア網１への信号は、携帯無線回線経由で携帯基地局７に送信され、携帯基地局７からアダプタ６を経由して中継無線子局５に送られる。さらに、中継無線子局５から中継無線親局４へは中継無線回線を介して伝送され、中継無線コア網３および接続装置２を経由して携帯コア網１に送られる。
【００１３】
中継無線子局５と中継無線親局４との間の中継無線回線のコネクション設定の可否および無線帯域の管理は、中継無線網内で管理されている。このため、携帯無線網と中継無線網とは、独立に動作する無線通信システムということができる。
【００１４】
つぎに、本実施の形態の特徴的な構成である信号中継装置に相当する接続装置２およびアダプタ６の構成について説明する。ここでは、接続装置２およびアダプタ６は、同一の構成を備える。図２は、一例として、接続装置２の構成例を示す図である。接続装置２は、メッセージ送受信部２０と、メッセージ抽出部２１と、メッセージ転送部２２と、ヘルスチェック応答部２３と、制御信号コネクション確立部２４と、を備える。
【００１５】
メッセージ送受信部２０は、中継無線回線を介して、携帯コア網１からの制御信号を移動機８もしくは携帯基地局７へ送受信する。また、中継無線回線を介して、移動機８もしくは携帯基地局７からの制御信号を携帯コア網１へ送受信する。メッセージ抽出部２１は、ヘルスチェック信号およびコネクション確立の際の起動信号以外の信号を抽出する。メッセージ転送部２２は、抽出したメッセージを転送する制御を行う。ヘルスチェック応答部２３は、携帯コア網１との間でヘルスチェック信号を送受信する。なお、アダプタ６の場合は、携帯基地局７との間でヘルスチェック信号を送受信する。制御信号コネクション確立部２４は、制御信号コネクション確立の際の起動信号を受信した場合に、制御信号コネクションを確立する。
【００１６】
つづいて、無線通信システムにおいて、コネクションを確立するまでの動作について説明する。まず、携帯基地局７が、移動機８から接続要求を受信すると、アダプタ６へ携帯基地局起動信号を送信する。アダプタ６では、メッセージ送受信部２０で携帯基地局起動信号を受信すると、制御信号コネクション確立部２４の制御により、中継無線子局５へ、パケットチャネル設定要求信号を送信する。
【００１７】
中継無線子局５は、中継無線親局４を経由して中継無線コア網３へパケットチャネルの設定を要求し、中継無線コア網３が、要求に応じてパケットチャネルを設定する。このとき、中継無線コア網３と有線で接続している接続装置２および携帯コア網１までのコネクションも生成される。これにより、携帯基地局７と携帯コア網１との間の制御信号コネクションが、パケットチャネルで設定される。パケットチャネルが設定されると、アダプタ６は、携帯基地局７から携帯コア網１への信号、および携帯コア網１から携帯基地局７への信号の転送を開始できる状態となる。
【００１８】
制御信号のコネクション確立後、アダプタ６は、携帯基地局７からの信号を受信すると、メッセージ送受信部２０で信号種別を判断し、ヘルスチェック信号以外の信号を、メッセージ抽出部２１およびメッセージ転送部２２を経由して、制御信号コネクションを介して接続装置２へ送信を開始する。接続装置２は、制御信号コネクションから受信した信号を、携帯コア網１へ送信する。また、接続装置２においても、携帯コア網１からの信号を受信すると、メッセージ送受信部２０で信号種別を判断し、ヘルスチェック信号以外の信号を、メッセージ抽出部２１およびメッセージ転送部２２を経由して、制御信号コネクションを介してアダプタ６へ送信を開始する。アダプタ６は、制御信号コネクションから受信した信号を、携帯基地局７へ送信する。
【００１９】
つぎに、接続装置２およびアダプタ６で行うヘルスチェックについて説明する。一般的に携帯無線網では、携帯コア網１と携帯基地局７との間でヘルスチェック信号が送受信されている。本実施の形態では、接続装置２において、ヘルスチェック応答部２３が、携帯コア網１との間でヘルスチェック信号を送受信することで、双方の運用状態を確認している。同様に、アダプタ６において、ヘルスチェック応答部２３が、携帯基地局７との間でヘルスチェック信号を送受信することで、双方の運用状態を確認している。
【００２０】
ここで、接続装置２において、ヘルスチェック応答部２３が、携帯コア網１と接続装置２間のヘルスチェックに異常を検出した場合は、異常検出信号をアダプタ６へ送信する。異常検出信号を受信したアダプタ６では、ヘルスチェック応答部２３が、携帯基地局７との間のヘルスチェックを停止する。接続装置２では、ヘルスチェック応答部２３が、接続装置２とアダプタ６との間の制御信号コネクションの導通を確認するために、一定時間（接続装置２およびアダプタ６が実施しているヘルスチェックの周期よりも十分に長い周期）以上、データ送信がない場合にのみ、導通確認信号を送信する。導通確認信号を受信したアダプタ６では、ヘルスチェック応答部２３が、受信した導確認信号に対して返信する。接続装置２では、導確認信号に対して返信された信号を受信することによって、導通確認をすることができる。同様に、アダプタ６で、携帯基地局７とアダプタ６間のヘルスチェックに異常を検出した場合は、接続装置２との間で、導通確認信号の送信および返信を行う。
【００２１】
この様に、携帯無線網におけるヘルスチェックを、携帯コア網１との間のヘルスチェックの確認は接続装置２が行い、携帯基地局７との間のヘルスチェックの確認はアダプタ６が行うことで、中継無線網にヘルスチェック信号を流入させることなく、実施することができる。
【００２２】
以上説明したように、本実施の形態では、携帯無線網のアクセス回線に中継無線網を使用する場合に、携帯無線網と中継無線網との間に、接続装置およびアダプタを配置し、携帯コア網とのヘルスチェックは接続装置が、携帯基地局とのヘルスチェックはアダプタが、それぞれ行うこととした。これにより、ヘルスチェックによるトラヒックが中継無線回線に流入しないため、中継無線回線の帯域を削減することができる。
【産業上の利用可能性】
【００２３】
以上のように、本発明にかかる信号中継装置は、携帯無線通信システムに有用であり、特に、アクセス回線に中継無線回線を使用する場合に適している。
【符号の説明】
【００２４】
１  携帯コア網
２  接続装置
３  中継無線コア網
４  中継無線親局
５  中継無線子局
６  アダプタ
７  携帯基地局
８  携帯移動機（移動機）
２０  メッセージ送受信部
２１  メッセージ抽出部
２２  メッセージ転送部
２３  ヘルスチェック応答部
２４  制御信号コネクション確立部
【図１】
2011049783.tif 000003
【図２】
2011049783.tif 000004